(57)【要約】【課題】自然な音像定位を与えながら高品質な再生音をリスナに聴取させるようにする。【解決手段】リスナの頭部１００に装着された際、電気音響変換部２Ｌのスピーカユニット７Ｌを当該リスナの外耳道入口１０２Ｌよりもやや前方に位置させると共に、管状ダクト８Ｌの孔部８ＡＬを外耳道入口１０２Ｌの近傍に位置させた状態で再生音を出力することにより、バスレフダクトとして作用する管状ダクト８Ｌの孔部８ＡＬから放射する低音を十分な音圧レベルで鼓膜１０３に到達させることができ、さらにカバー部９Ｌを回転させてスピーカユニット７Ｌから周囲へ伝わる中高音を遮断することができるので、自然な音像定位を与えながら比較的低音域まで充分な音圧レベルでなる良好な再生音をリスナに聴取させ、さらに周囲への音漏れを低減させることができる。【選択図】図３
2007235922.tif 000002
【特許請求の範囲】
【請求項１】
リスナの頭部の所定位置に装着された筐体部と、
上記筐体部の一面に取り付けられ、上記筐体部が上記リスナの頭部に装着された際、上記リスナの外耳道入口との間に所定距離が設けられたスピーカユニットと、
上記筐体部の内部空間に生じさせた音を上記リスナの外耳道入口近傍まで到達させるよう延長された管状ダクトと、
少なくとも上記スピーカユニットの放音部分から上記リスナの外耳道入口までの空間を覆うカバー部と
を具えることを特徴とする電気音響変換器。
【請求項２】
上記カバー部により上記スピーカユニットの放音部分から上記リスナの外耳道入口までの空間を覆う閉状態又は上記カバー部により上記スピーカユニットの放音部分から上記リスナの外耳道入口までの空間を覆わない開状態のいずれかに切り換える切換部と
を具えることを特徴とする請求項１に記載の電気音響変換器。
【請求項３】
上記切換部は、上記筐体部に対して上記カバー部を回転させる回転部を有し、当該回転部を中心に上記カバー部を回転することにより上記閉状態又は上記開状態に切り換える
ことを特徴とする請求項２に記載の電気音響変換器。
【請求項４】
上記切換部は、
上記カバー部を上記筐体部に装着することにより上記閉状態とし、また上記筐体部から上記カバー部を取り外すことにより上記開状態とする
ことを特徴とする請求項２に記載の電気音響変換器。
【請求項５】
上記管状ダクトは、
バスレフ型スピーカのダクトとして作用する
ことを特徴とする請求項１に記載の電気音響変換器。
【請求項６】
上記管状ダクトは、
上記筐体部の内部空間から上記リスナの外耳道入口近傍まで延長されると共に上記筐体部の内部空間へ再度戻る略Ｕ字状に形成され、上記リスナの上記外耳道入口近傍に放音用の孔部が設けられた
ことを特徴とする請求項１に記載の電気音響変換器。
【請求項７】
上記管状ダクトは、
上記外耳道入口近傍に位置する端部が上記リスナの外耳道内部へ入り込むことを防止するための保護部が設けられた
ことを特徴とする請求項１に記載の電気音響変換器。
【請求項８】
上記スピーカユニットに供給される音声信号のうち所定の周波数帯域成分を当該音声信号の音量レベルに応じて減衰させ当該スピーカユニットに供給する周波数特性調整回路と
を具えることを特徴とする請求項１に記載の電気音響変換器。
【請求項９】
リスナの頭部の所定位置に装着された筐体部と、上記筐体部の一面に取り付けられ、上記筐体部が上記リスナの頭部に装着された際、上記リスナの外耳道入口との間に所定距離が設けられたスピーカユニットと、上記筐体部の内部空間に生じた音を上記リスナの外耳道入口近傍まで到達させるよう延長された管状ダクトと、少なくとも上記スピーカユニットの放音部分から上記リスナの外耳道入口までの空間を覆うカバー部とを有する電気音響変換器と、
上記スピーカユニットと上記リスナの外耳道入口との間に上記所定距離が設けられるよう上記電気音響変換器を上記リスナの頭部に装着させる装着部と
を具えることを特徴とするイヤースピーカ装置。
【請求項１０】
上記カバー部により上記スピーカユニットの放音部分から上記リスナの外耳道入口までの空間を覆う閉状態又は上記カバー部により上記スピーカユニットの放音部分から上記リスナの外耳道入口までの空間を覆わない開状態のいずれかに切り換える切換部と
を具えることを特徴とする請求項９に記載のイヤースピーカ装置。
【請求項１１】
上記切換部は、上記筐体部に対して上記カバー部を回転させる回転部を有し、当該回転部を中心に上記カバー部を回転することにより上記閉状態又は上記開状態に切り換える
ことを特徴とする請求項１０に記載のイヤースピーカ装置。
【請求項１２】
上記カバー部は、
上記カバー部を上記筐体部に装着することにより上記閉状態とし、また上記筐体部から上記カバー部を取り外すことにより上記開状態とする
ことを特徴とする請求項１０に記載のイヤースピーカ装置。
【請求項１３】
上記管状ダクトは、
バスレフ型スピーカのダクトとして作用する
ことを特徴とする請求項９に記載のイヤースピーカ装置。
【請求項１４】
上記管状ダクトは、
上記筐体部の内部空間から上記リスナの外耳道入口近傍まで延長されると共に上記筐体部の内部空間へ再度戻る略Ｕ字状に形成され、上記リスナの上記外耳道入口近傍に放音用の孔部が設けられた
ことを特徴とする請求項９に記載のイヤースピーカ装置。
【請求項１５】
上記管状ダクトは、
上記外耳道入口近傍に位置する端部が上記リスナの外耳道内部へ入り込むことを防止するための保護部が設けられた
ことを特徴とする請求項９に記載のイヤースピーカ装置。
【請求項１６】
上記スピーカユニットに供給される音声信号のうち所定の周波数帯域成分を当該音声信号の音量レベルに応じて減衰し当該スピーカユニットに供給する周波数特性調整回路と
を具えることを特徴とする請求項９に記載のイヤースピーカ装置。
【請求項１７】
上記装着部は、
上記電気音響変換器を上記リスナの頭部に装着させる際、上記スピーカユニットを上記リスナの外耳道入口よりも前方に位置させると共に、上記リスナの外耳道入口よりも後方に位置させるための所定の後方用スピーカユニットが取り付けられた後方用筐体部を具える
ことを特徴とする請求項９に記載のイヤースピーカ装置。
【請求項１８】
上記装着部は、
上記筐体部に加え、上記リスナの頭部に振動を加えるための当該装着部に装着された所定の加振器を具える
ことを特徴とする請求項９に記載のイヤースピーカ装置。
【発明の詳細な説明】
【技術分野】
【０００１】
本発明は電気音響変換器及びイヤースピーカ装置に関し、例えば頭部装着型のウェアラブルスピーカ装置に適用して好適なものである。
【背景技術】
【０００２】
従来、頭部装着型のウェアラブルスピーカ装置の一例であるヘッドホン装置においては、リスナの頭部に装着された状態でＣＤ（Compact Disc）の再生音声等を表すオーディオ信号を音（以下、これを再生音と呼ぶ）に変換し、これを当該リスナに聴取させるようになされたものが広く普及している。
【０００３】
一般的なヘッドホン装置では、再生音を発生させるスピーカユニットがリスナの外耳道入口の正面付近に位置するようになされており、当該スピーカユニットから鼓膜に対して直接的に音を到達させることにより音質を向上し得るものの、音像をリスナの頭内に定位させることになり当該リスナに不自然な印象を与えてしまっていた。
【０００４】
このためヘッドホン装置の中には、スピーカユニットを外耳道入口（耳孔）からやや離隔させ前頭部側へ位置させることにより、一般的な据置型のスピーカを用いた場合のように音像を頭外に定位させることにより不自然感を払拭させると共に、リスナの耳の周囲に密閉空間を形成した密閉型とすることにより充分な低音を聴取させ得るよう考慮されたものが考案されている（例えば、特許文献１参照）。
【特許文献１】特許第３０５４２９５号明細書（第３頁、第１図）
【発明の開示】
【発明が解決しようとする課題】
【０００５】
ところで、かかる構成のヘッドホン装置に対して、充分な低音を含む良好な音質を維持しながら開放型とすることによりリスナに開放感を与えたいという要望があるものの、スピーカユニットが耳孔から離隔されているため、単純に密閉型を開放型としただけでは低音域が不足して音質を悪化させてしまい、かかる要望に応じ得ないという問題があった。
【０００６】
またヘッドホン装置は、開放型の場合、密閉型と比較して周囲への音漏れが大きくなってしまうという問題もあった。
【０００７】
本発明は以上の点を考慮してなされたもので、周囲への音漏れを低減しつつ自然な音像定位を与えながら高品質な再生音をリスナに聴取させ得る電気音響変換器及びイヤースピーカ装置を提案しようとするものである。
【課題を解決するための手段】
【０００８】
かかる課題を解決するため本発明においては、リスナの頭部の所定位置に装着された筐体部と、当該筐体部の一面に取り付けられ、筐体部がリスナの頭部に装着された際、リスナの外耳道入口との間に所定距離が設けられたスピーカユニットと、筐体部の内部空間に生じさせた音をリスナの外耳道入口近傍まで到達させるよう延長された管状ダクトと、少なくとも上記スピーカユニットの放音部分から上記リスナの外耳道入口までの空間を覆うカバー部とを設けるようにした。
【０００９】
これにより、筐体部によって生じさせた音を管状ダクトを介してリスナの外耳道入口近傍から外耳道内の鼓膜へ直接到達させることができるため、開放型として自然な音像定位を与えながら、充分なレベルの音を当該リスナに聴取させることができ、さらにカバー部によりスピーカユニットからの音を遮断することができる。
【発明の効果】
【００１０】
本発明によれば、筐体部によって生じさせた音を管状ダクトを介してリスナの外耳道入口近傍から外耳道内の鼓膜へ直接到達させることができるため、開放型として自然な音像定位を与えながら、充分なレベルの音を当該リスナに聴取させ得ると共にカバー部によりスピーカユニットからの音を遮断し得る電気音響変換器及びイヤースピーカ装置を実現することができ、かくして周囲への音漏れを低減しつつ自然な音像定位を与えながら高品質な再生音をリスナに聴取させ得る電気音響変換器及びイヤースピーカ装置を実現できる。
【発明を実施するための最良の形態】
【００１１】
以下、図面について、本発明の一実施の形態を詳述する。
【００１２】
（１）イヤースピーカ装置の構成
（１−１）全体構成
図１及び図２において、イヤースピーカ装置１は、ポータブルＣＤ（Compact Disc）プレーヤやＤＭＰ（Digital Music Player）の再生処理等により生成されたオーディオ信号を再生音に変換し、これをリスナに聴取させるようになされている。
【００１３】
イヤースピーカ装置１は、一般的な箱形のスピーカ装置とは異なり、ヘッドホン装置と同様にリスナの頭部に装着されることを前提としており、大きく分けてオーディオ信号を再生音に変換する電気音響変換部２Ｌ及び２Ｒと、当該電気音響変換部２Ｌ及び２Ｒをリスナの頭部に装着して固定させるためのバンド部３とにより構成されている。
【００１４】
電気音響変換部２Ｌ及び２Ｒは、断面が円を４分割した扇形でなる柱状体、すなわち１／４円柱状でなる筐体部４Ｌ及び４Ｒを中心に構成されている。筐体部４Ｌ及び４Ｒは、それぞれ後面側及び左右内側に平面部分が形成されており、左右内側にはリスナの頭部に対する側圧を和らげるためのパッド部５Ｌ及び５Ｒが取り付けられている。
【００１５】
筐体部４Ｌ及び４Ｒの後面側における平面部分であるバッフル面４ＦＬ及び４ＦＲには、オーディオ信号を再生音に変換するスピーカユニット７Ｌ及び７Ｒが取り付けられている。このスピーカユニット７Ｌ及び７Ｒは、ポータブルＣＤプレーヤやＤＭＰ等から接続ケーブルＣＢＬを介して供給されるオーディオ信号に応じて、振動板を振動させることにより放音するようになされている。
【００１６】
また筐体部４Ｌ及び４Ｒのバッフル面４ＦＬ及び４ＦＲには、金属製でなり、所定太さを有する中空の部材が側面略Ｕ字状に曲げられた管状ダクト８Ｌ及び８Ｒが取り付けられている。この管状ダクト８Ｌ及び８Ｒは、図１に示したように、外端部がそれぞれ左右内側方向に曲げられており、さらに後側先端部のほぼ中央にそれぞれ孔部８ＡＬ及び８ＡＲが設けられている。
【００１７】
さらに電気音響変換部２Ｌ及び２Ｒには、筐体部４Ｌ及び４Ｒのうち外側面から前側面にかかる局面部分並びに上面及び下面をそれぞれ覆うカバー部９Ｌ及び９Ｒが設けられている（詳しくは後述する）。
【００１８】
バンド部３は、中央部３Ａを中心に一般的な人間の頭部の形状に合わせて上に凸の略アーチ型に形成されていると共に、当該中央部３Ａに対して伸縮自在に摺動し得るアジャスト部３ＢＬ及び３ＢＲによりバンド部３全体の長さを調整し得るようになされている。
【００１９】
またバンド部３は、一般的な人間の頭部の形状よりも小さい径のアーチ型に形成されていると共に弾性力を有しており、リスナに装着される際に筐体部４Ｌ及び４Ｒを左右に広げながら装着されると、装着後に当該弾性力の作用によって元の形状に戻ろうとするため、アジャスト部３ＢＬ及び３ＢＲ並びに固定部５Ｌ及び５Ｒを介して、筐体部４Ｌ及び４Ｒを当該リスナの頭部に対して当接させた状態で保持させるようになされている。
【００２０】
なお、イヤースピーカ装置１は、図１及び図２に示したようにほぼ左右対称に構成されているため、以下では主に左側の電気音響変換部２Ｌを例に説明する。
【００２１】
（１−２）電気音響変換部の構成
電気音響変換部２Ｌは、図３に示すように、筐体部４Ｌにカバー部９Ｌが組み合わされるようになされている。このカバー部９Ｌにおける上面及び下面には、貫通孔９ＡＬ及び９ＢＬがそれぞれ設けられている。
【００２２】
この貫通孔９ＡＬ及び９ＢＬは、カバー部９Ｌの側面を構成する局面部分を円の一部分と見なしたときの円の中心を通る仮想線に近い位置に設けられている。また筐体部４Ｌの上面及び下面において貫通孔９ＡＬ及び９ＢＬと対応する位置には、それぞれ固定孔４ＡＬ及び４ＢＬが設けられている。
【００２３】
さらに筐体部４Ｌには、取付部材６ＡＬ及び６ＢＬがカバー部９Ｌの貫通孔９ＡＬ及び９ＢＬを貫通し取付孔４ＡＬ及び４ＢＬに嵌め込まれるようになされている。ここでカバー部９Ｌの貫通孔９ＡＬ及び９ＢＬの内径は、取付部材６ＡＬ及び６ＢＬの軸状部６ＡＸＬ及び６ＢＸＬの外径よりもやや大きくなるようになされている。
【００２４】
かかる構成によりカバー部９Ｌは、取付部材６ＡＬ及び６ＢＬの軸状部６ＡＸＬ及び６ＢＸＬを回転軸として、筐体部４Ｌに対して自在に回転することができる。この結果、電気音響変換部２Ｌは、図４（Ａ）に示すようにカバー部９Ｌが前方に回転され筐体部４Ｌとほぼ重ねられた状態（以下、これを開状態と呼ぶ）又は図４（Ｂ）に示すようにカバー部９Ｌが後方に回転されスピーカユニット７Ｌ及び管状ダクト８Ｌを覆い隠すような状態（以下、これを閉状態と呼ぶ）に切り換え得るようになされている。
【００２５】
因みに右側の電気音響変換部２Ｒは、当該電気音響変換部２Ｌとほぼ左右対称に構成されており、筐体部４Ｒに対してカバー部９Ｌを回転させることにより、図４（Ａ）とほぼ左右対称な開状態又は図４（Ｂ）とほぼ左右対称な閉状態に切り換え得るようになされている。
【００２６】
（２）イヤースピーカ装置の装着
実際上、イヤースピーカ装置１は、図５の左側面図に示すように、電気音響変換部２Ｌ及び２Ｒが開状態とされ、バンド部３における長さが調整された上でリスナの頭部１００に装着されることにより、アジャスト部３ＢＬの下端側に取り付けられた電気音響変換部２Ｌをリスナの頭部における耳介１０１Ｌよりもやや前方に位置させるようになされている。
【００２７】
これによりイヤースピーカ装置１の電気音響変換部２Ｌは、スピーカユニット７Ｌから放射された中高音を直接リスナの外耳道内部へ到達させると共に、当該リスナの頬や耳介１０１Ｌ等で反射された反射音も外耳道内部へ到達させることができるため、一般的な据置型スピーカを介して聴取した場合と同様の、自然な音像定位を与え得るようになされている。
【００２８】
このときイヤースピーカ装置１は、リスナに対して正常に装着された際、スピーカユニット７Ｌが耳介１０１Ｌ及び外耳道入口１０２Ｌのやや前方に位置し、管状ダクト８Ｌの孔部８ＡＬが外耳道入口１０２Ｌの近傍に位置するようになされている。
【００２９】
因みに管状ダクト８Ｌは、その先端が略Ｕ字状に形成されているため、リスナの外耳道内へ入り込まないようになされている。これによりイヤースピーカ装置１は、当該リスナがイヤースピーカ装置１の装着時等に、誤って管状ダクト８Ｌにより当該外耳道内を傷つけてしまうことを未然に防止し得るようになされている。
【００３０】
ここで図４におけるＱ１−Ｑ２断面を図６に示すように、筐体部４Ｌはスピーカユニット７Ｌが取り付けられた状態で管状ダクト８Ｌを除き密閉された空間を形成しており、スピーカユニット７Ｌに対して筐体部４Ｌ及び当該管状ダクト８Ｌにより共振回路を形成するようになされている。
【００３１】
また管状ダクト８Ｌは、筐体部４Ｌの内部から筐体部４Ｌのバッフル板４ＡＬを貫通してリスナの外耳道入口１０２Ｌの近傍に到達している。実際上、電気音響変換部２Ｌは、管状ダクト８Ｌをバスレフダクトとして作用させることにより、全体としてバスレフ型のスピーカとして動作するようになされている。
【００３２】
ところで、一般的なバスレフ型スピーカでは、ダクトが筐体の内部のみに設けられ、外部へは延長しないようになされている。そこで、電気音響変換部２Ｌとの比較用に、図６の対応部分に同一符号を付した図７に示すような電気音響変換部１２Ｌを想定する。
【００３３】
この電気音響変換部１２Ｌ（図７）は、一般的なバスレフ型スピーカと同様に構成されており、電気音響変換部２Ｌの管状ダクト８Ｌ（図６）に代えて、筐体部４Ｌの内側のみに２本の管状ダクト１８Ｌ及び１９Ｌを有している。
【００３４】
この電気音響変換部１２Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナの鼓膜１０３Ｌに到達するまでの経路長ＥＭと、孔部１８ＡＬ及び１９ＡＬを仮想音源位置ＰＬ２と見なしたときの、管状ダクト１８Ｌ内及び１９Ｌ内を伝わり当該孔部１８ＡＬ及び１９ＡＬから放射された低音がリスナの鼓膜１０３Ｌに到達するまでの経路長ＥＬ２とを比較すると、経路長ＥＭ≒経路長ＥＬ２となっている。
【００３５】
ここで、電気音響変換部１２Ｌにより鼓膜１０３Ｌに到達する音の周波数特性を図８に示す。この図８に示すように、一般的なバスレフ型の電気音響変換部１２Ｌは、スピーカユニット７Ｌから放射される、特性曲線ＳＭに示すような周波数特性でなる中高音と、管状ダクト１８Ｌ内及び１９Ｌ内を伝わり孔部１８ＡＬ及び１９ＡＬから放射される、特性曲線ＳＬ２に示すような周波数特性でなる低音とを合わせてリスナの鼓膜１０３Ｌまで到達させることになる。
【００３６】
これにより電気音響変換部１２Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナに聴取させることができる。
【００３７】
一方、本発明による電気音響変換部２Ｌ（図６）では、スピーカユニット７Ｌを仮想音源位置ＰＭとみなしたときの、当該スピーカユニット７Ｌから放射された中高音がリスナの鼓膜１０３Ｌに到達するまでの経路長ＥＭと、孔部８ＡＬを仮想音源位置ＰＬ１と見なしたときの、管状ダクト８Ｌ内を伝わり当該孔部８ＡＬから放射された低音がリスナの鼓膜１０３Ｌに到達するまでの経路長ＥＬ１とを比較すると、経路長ＥＭ＞経路長ＥＬ１となっている。
【００３８】
ここで、電気音響変換部２Ｌにより鼓膜１０３Ｌに到達する音の周波数特性を図９に示す。電気音響変換部２Ｌは、上述したようにバスレフ型スピーカの一種であるため、図８に示した場合と同様、スピーカユニット７Ｌから放射される、特性曲線ＳＭに示すような周波数特性でなる中高音と、管状ダクト８Ｌを伝わり孔部８ＡＬから放射される、特性曲線ＳＬ１に示すような周波数特性でなる低音とを合わせてリスナの鼓膜１０３Ｌまで到達させることになる。
【００３９】
ところで、一般に音源からの距離と音圧レベルとは反比例の関係にある。ここで電気音響変換部２Ｌ（図６）と電気音響変換部１２Ｌ（図７）との経路長を比較すると、経路長ＥＬ１＜経路長ＥＬ２の関係となる。
【００４０】
すなわち電気音響変換部２Ｌ（図６）は、仮想音源位置ＰＬ１が電気音響変換部１２Ｌ（図７）の仮想音源位置ＰＬ２よりもリスナの外耳道入口１０２Ｌ近傍に位置しているため、管状ダクト８Ｌ内を伝わり孔部８ＡＬ（仮想音源位置ＰＬ１）から放射される低音を、電気音響変換部１２Ｌの場合よりも高い音圧レベルで鼓膜１０３Ｌまで到達させ得るようになされている。
【００４１】
すなわち、２つの特性曲線ＳＬ１及びＳＬ２を重ねた図１０に示すように、管状ダクト８Ｌによる低音の特性曲線ＳＬ１は、経路長ＥＬ１＜経路長ＥＬ２の関係により、管状ダクト１８Ｌ及び１９Ｌによる低音の特性曲線ＳＬ２と比較して全体的な音圧レベルが高くなる。
【００４２】
この結果、電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部１２Ｌの場合（特性曲線ＳＧ２）よりも上昇された、比較的低い周波数帯まで十分な音圧レベルの再生音をリスナに聴取させ得るようになされている。
【００４３】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることが分かる。
【００４４】
すなわち電気音響変換部２Ｌは、電気音響変換部１２Ｌと比較して、広い周波数帯域に渡って高い音圧レベルでなる、すなわち充分な低音域が含まれる良好な再生音をリスナの鼓膜１０３に伝達して聴取させ得るようになされている。
【００４５】
この場合、電気音響変換部２Ｌは、図５及び図６に示したように、リスナの外耳道入口１０２Ｌの近傍に管状ダクト８Ｌの外端部を位置させるものの、当該外耳道入口１０２Ｌを完全には閉塞しない。
【００４６】
このため電気音響変換部２Ｌは、スピーカユニット７Ｌから放射する中高音及び管状ダクト８Ｌの孔部８ＡＬから放射する低音を合わせた再生音に加えて、リスナの周囲で発生した音（以下これを周囲音と呼ぶ）を遮断することなく当該リスナの鼓膜１０３Ｌまで到達させ聴取させ得るようになされている。
【００４７】
因みに電気音響変換部２Ｌは、筐体部４Ｌの内容積が１０［ｍｌ］、スピーカユニット７Ｌの外径が２１［ｍｍ］、当該スピーカユニット７Ｌの振動板における有効振動半径が８．５［ｍｍ］、振動系の等価質量が０．２［ｇ］、最低共振周波数ｆ０が３６０［Ｈｚ］、共振のＱ０が１．０とされている。
【００４８】
また管状ダクト８Ｌは、内径が１．８［ｍｍ］、当該管状ダクト８Ｌの筐体部４Ｌ内に位置する内部端８ＢＬから孔部８ＡＬまでの有効長が５０［ｍｍ］、バッフル板４ＡＬの表面から孔部８ＡＬまでの距離が約３５［ｍｍ］とされている。
【００４９】
ここで管状ダクト８Ｌは、その側面がＵ字状に形成され、外端部の中央に孔部８ＡＬが設けられているため、実質的に上半分及び下半分による２本のバスレフダクトを構成しているのと同じであり、当該管状ダクト８Ｌを１本の管状ダクトに換算した場合の内径（この場合は約２．５［ｍｍ］に相当する）が考慮された上で、その内径及び有効長が決定されている。
【００５０】
すなわち管状ダクト８Ｌは、側面Ｕ字状に形成されたことにより、１本の管状ダクトとした場合に比べてその有効長を短く設定し得ると共に、デザイン性及び安全性を大きく向上させ得るようになされている。
【００５１】
この電気音響変換部２Ｌ（図６）及び電気音響変換部１２Ｌ（図７）について、人間の耳介及び外耳道を模した測定用治具を用いて実際の周波数特性を測定したところ、図１１に示すような特性曲線ＳＧ１１（電気音響変換部２Ｌの場合）及び特性曲線ＳＧ１２（電気音響変換部１２Ｌの場合）が得られた。
【００５２】
この図１１では、図１０に示した理論的な周波数特性と同様、およそ５００［Ｈｚ］以下の低音域において、電気音響変換部２Ｌの特性曲線ＳＧ１１が電気音響変換部１２Ｌの特性曲線ＳＧ１２よりも高い音圧レベルとなっている。すなわち、実際に電気音響変換部２Ｌがリスナに対して充分な低音を含む良好な再生音を聴取させ得ることが示されている。
【００５３】
このようにイヤースピーカ装置１は、リスナの頭部１００に装着された際、スピーカユニット７Ｌをリスナの外耳道入口１０２Ｌからやや離れた場所に位置させ、そのスピーカユニット７Ｌから再生音の中高音を放射すると共に、筐体部４Ｌから当該外耳道入口１０２Ｌの近傍まで延長されバスレフダクトとして作用する管状ダクト８Ｌの孔部８ＡＬから再生音の低音を放射することにより、自然な音像定位を与えながら充分な低音を含む良好な再生音を当該リスナに聴取させ得るようになされている。
【００５４】
（３）音漏れの低減
（３−１）筐体部の回転による音漏れの低減
ところでイヤースピーカ装置１は、いわゆる開放型であるため、密閉型のヘッドホン装置等と比較して周囲への音漏れが大きくなってしまう。
【００５５】
ここで、イヤースピーカ装置１がリスナの頭部１００に装着され、電気音響変換部２Ｌが開状態（図１、図２及び図６等）であるときの、当該リスナの側面及び正面における音漏れの測定結果を図１２（Ａ）及び（Ｂ）に示す。
【００５６】
この図１２（Ａ）及び（Ｂ）より、イヤースピーカ装置１は、リスナの頭部１００における前面及び側面の双方において、低域（約５００［Ｈｚ］未満）ではほとんど音漏れを生じておらず、中高域（約５００〜約２０ｋ［Ｈｚ］）では、約４ｋ〜５ｋ［Ｈｚ］をピークとしてある程度の音漏れを生じていることがわかる。
【００５７】
またイヤースピーカ装置１では、リスナの頭部１００における前面（すなわちスピーカユニット７Ｌの放音面の反対面）よりも、側面（すなわちスピーカユニット７Ｌの放音面に対する側面）の方が、音漏れの音量レベルが大きいことがわかる。
【００５８】
このことは、一般に、音が周波数に応じて異なる指向性を有しており、また音の放射方向からの角度が変化するに連れて音量レベルが低下する性質を有していることとも合致する。
【００５９】
これを換言すれば、イヤースピーカ装置１の電気音響変換部２Ｌは、スピーカユニット７Ｌの放音方向を基準とした音漏れの分布特性を有していることになる。
【００６０】
そこでイヤースピーカ装置１は、図４（Ｂ）に示したように、筐体部４Ｌに対してカバー部９Ｌを回転させた閉状態とし、スピーカユニット７Ｌの放音面から周囲へ漏れる音を当該カバー部９Ｌにより遮断し得るようになされている。このとき筐体部４Ｌ及び管状ダクト８Ｌは、カバー部９Ｌの回転状態に拘わらず、開状態と同じ状態を維持することになる。
【００６１】
このときイヤースピーカ装置１は、スピーカユニット７Ｌから放音された中高音をカバー部９Ｌにより遮断することができるため、周囲への音漏れを低減させることができる。
【００６２】
ここで図６と対応する図１３に示すように、イヤースピーカ装置１の電気音響変換部２Ｌでは、所謂密閉型のヘッドホンに近い状態となるため、カバー部９Ｌにより周囲の音（騒音等）を遮ると共に、当該カバー部９Ｌの内面によりスピーカユニット７Ｌから放音された中高音の一部を反射してリスナの鼓膜１０３Ｌに到達させることになる。
【００６３】
この閉状態（図１３）の場合、イヤースピーカ装置１を装着したリスナは、開状態（図６）の場合と同等の音量レベルでなる音声信号が入力されていると、かかるカバー部９Ｌの作用により、中高音の音量レベルが大きすぎると感じる可能性が高い。
【００６４】
そこでリスナは、イヤースピーカ装置１が接続されているアンプ等の出力音量レベルを低下させることにより、鼓膜１０３Ｌに到達する中高音の音量レベルを開状態の場合と同等に、すなわち適正な音量レベルに調整することができる。
【００６５】
このときイヤースピーカ装置１は、スピーカユニット７Ｌから放射される中高音の音量レベルが低減されることから、結果的に周囲への音漏れも低減させることができる。
【００６６】
（３−２）周波数特性の調整による音漏れの低減
ところで、人間の聴覚特性として、４ｋ［Ｈｚ］付近の周波数帯域における音漏れが特に敏感に知覚される、すなわち「耳障りな音」として認識されることが知られている。
【００６７】
そこでイヤースピーカ装置１は、上述したように固定部５Ｌに対して筐体部４Ｌを回転させ閉状態とすることにより周囲への音漏れを低減する以外にも、再生する音の周波数特性を調整することにより音漏れを低減し得るようにもなされている。
【００６８】
実際上、イヤースピーカ装置１の電気音響変換部２Ｌは、図１４に示すような回路構成でなる周波数特性調整回路としての音漏れ低減回路１０を内蔵している。この音漏れ低減回路１０は、大きく分けて帯域フィルタ部１０ＡＬ、増幅器１０ＢＬ、整流平滑部１０ＣＬ及びインピーダンス調整部１０ＤＬにより構成されている。
【００６９】
因みに音漏れ低減回路１０は、本願発明と同一発明者且つ同一出願人による特許文献２に記載の回路とほぼ同様の構成となされている。
【特許文献２】特許第２８９７３１６号公報（第１図）
【００７０】
帯域フィルタ部１０ＡＬは、抵抗Ｒ１、Ｒ２及びＲ３並びにコンデンサＣ１、Ｃ２及びＣ３の組み合わせにより、２組のＣＲフィルタによる、所謂ツインＴ回路を構成しており、外部から供給される音声信号Ｓ１を基に音声信号Ｓ２を生成するようになされている。
【００７１】
増幅器１０ＢＬは、音声信号Ｓ２を増幅して音声信号Ｓ３とし、これをスピーカユニット７Ｌ及び整流平滑部１０ＣＬへ供給する。
【００７２】
整流平滑部１０ＣＬは、スピーカユニット７Ｌの両端子と並列に接続されており、抵抗Ｒ４、Ｒ５及びＲ６、コンデンサＣ４、Ｃ５及びＣ６、並びにダイオードＤ１及びＤ２の組み合わせにより構成されている。整流平滑部１０ＣＬは、音声信号Ｓ３を整流すると共に平滑化することにより制御信号Ｓ４を生成し、これをインピーダンス調整部１０ＤＬへ供給する。
【００７３】
インピーダンス調整部１０ＤＬは、抵抗Ｒ７を介して制御信号Ｒ４をトランジスタＱ１のベース端子に供給する。当該トランジスタＱ１のコレクタ端子は、帯域フィルタ部１０ＡＬに接続され、またトランジスタＱ１のエミッタ端子は、抵抗Ｒ８を介してグランドに接続されている。この回路構成により、インピーダンス調整部１０ＤＬは、全体として制御信号Ｓ４の電圧に応じてインピーダンスを変化させる可変インピーダンス回路として動作することになる。
【００７４】
実際上、整流平滑部１０ＣＬでは、音声信号Ｓ３のグランドに対する電位がダイオードＤ１の動作電圧である約０．７［Ｖ］以下の場合、当該ダイオードＤ１が非動作状態となり、制御信号Ｓ４をほぼ０［Ｖ］とする。このときインピーダンス調整部１０ＤＬは、トランジスタＱ１がオープン状態となるため、帯域フィルタ部１０ＡＬをＣＲフィルタとしては作用させないことになる。
【００７５】
一方、整流平滑部１０ＣＬは、音声信号Ｓ３のグランドに対する電位がダイオードＤ１の動作電圧である約０．７［Ｖ］を超える場合、音声信号Ｓ１音量レベルに応じた電位を示す制御信号Ｓ４を生成し、インピーダンス調整部１０ＤＬへ供給する。
【００７６】
このときインピーダンス調整部１０ＤＬは、制御信号Ｒ４に応じてトランジスタＱ１によりインピーダンスを変化させ、帯域フィルタ部１０ＡＬを制御信号Ｒ４に応じた減衰量のＣＲフィルタとして作用させることになる。これに応じて帯域フィルタ部１０ＡＬは、音声信号Ｓ１に対して所望の周波数帯域（例えば４ｋ［Ｈｚ］付近）のみ音量レベルを低減することにより、音声信号Ｓ２を生成する。
【００７７】
すなわち音漏れ低減回路１０は、スピーカユニット７Ｌに供給する音声信号Ｓ３を基に帯域フィルタ部１０ＡＬにおける所望周波数帯域の減衰幅をフィードバック制御することになる。
【００７８】
これによりインピーダンス調整部１０ＤＬは、帯域フィルタ部１０ＡＬにおける所望周波数帯域に対する音量レベルの減衰幅を調整することができ、制御信号Ｓ４が大きい、すなわち音声信号Ｓ１が示す音量レベルが大きいほど、当該減衰幅を大きくすることができる。
【００７９】
ここで、音声信号Ｓ１の音量レベルを段階的に変化させたときにおける当該音声信号Ｓ１及び音声信号Ｓ３の周波数特性を、それぞれ図１５に特性曲線Ｕ１ａ〜Ｕ１ｅ（破線）及び特性曲線Ｕ３ａ〜Ｕ３ｅ（実線）として示す。
【００８０】
この図１５に示すように、音声信号Ｓ１の音量レベルが約１０［ｄＢ］の場合、特性曲線Ｕ１ａ及びＵ３ａを比較すると、音漏れ低減回路１０は、音声信号Ｓ１のうち４ｋ［Ｈｚ］付近を殆ど減衰させることなく音声信号Ｓ３としている。
【００８１】
一方、音漏れ低減回路１０は、図１５に特性曲線Ｕ１ｂ〜Ｕ１ｅ並びにＵ３ｂ〜Ｕ３ｅに示したように、当該音声信号Ｓ１の音量レベルが約１５［ｄＢ］、約２０［ｄＢ］、約２８［ｄＢ］、約３４［ｄＢ］と上がっていくに連れて、当該音声信号Ｓ３の４ｋ［Ｈｚ］付近における減衰幅を大きくしていき、約１０［ｄＢ］のときと同程度の音量レベルに抑えることができる。
【００８２】
因みに音漏れ低減回路１０は、リスナにより図示しないスイッチが切り換えられることによって、動作するか否か、すなわち音声信号Ｓ３の４ｋ［Ｈｚ］付近を減衰させるか否かを切り換え得るようにもなされている。
【００８３】
このように音漏れ低減回路１０は、スピーカユニット７Ｌから放射され周囲に漏れる音のうち、人間にとって耳障りと感じやすい４ｋ［Ｈｚ］付近の周波数帯域における音を、そのときの音量レベルに応じて減衰させ得るようになされている。
【００８４】
（４）他のイヤースピーカ装置の構成例
ところでイヤースピーカ装置１は、図１、図２及び図５に示したように、装着部としてのバンド部３により電気音響変換部２Ｌ及び２Ｒをリスナの頭部１００に装着するようになされているが、このバンド部３に代えて他の種々の装着部を用いることにより電気音響変換部２Ｌ及び２Ｒをリスナの頭部１００に装着するようにしても良い。
【００８５】
なお、以下では、上述したイヤースピーカ装置１の場合と同様、主に左側の電気音響変換部２Ｌを例に説明するが、右側の電気音響変換部２Ｒについては、当該左側の電気音響変換部２Ｌと左右対称に構成されているものとする。
【００８６】
例えば図１６に示すイヤースピーカ装置２０は、いわゆるイヤークリップ型として構成されており、イヤースピーカ装置１（図１、図２及び図５）におけるバンド部３に代えて、リスナの耳介１０１Ｌに引っ掛けるためのイヤークリップ２１Ｌに電気音響変換部２Ｌが取り付けられている。また電気音響変換部２Ｌは、イヤースピーカ装置１の場合と同様、筐体部４Ｌに対してカバー部９Ｌを自在に回転し得るようになされている。
【００８７】
このイヤースピーカ装置２０は、イヤークリップ２１Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置２０は、図１６に示した開状態からカバー部９Ｌを回転させ閉状態とすることにより、周囲への音漏れを低減し得るようにもなされている。
【００８８】
また図１７に示すイヤースピーカ装置３０は、所謂アンダーチン型として構成されており、イヤースピーカ装置１（図１、図２及び図５）におけるバンド部３に代えて、左右の電気音響変換部２Ｌ及び２Ｒを接続すると共にリスナの耳介１０１Ｌに引っ掛けるためのバンド部３１を有している。バンド部３１の中央部３１Ａは、下に凸の略アーチ状に形成され、リスナの顎の下を通って左右に渡されることを前提としている。また電気音響変換部２Ｌは、イヤースピーカ装置１の場合と同様、筐体部４Ｌに対してカバー部９Ｌを自在に回転し得るようになされている。
【００８９】
このイヤースピーカ装置３０（図１７）は、バンド部３１の耳掛部３１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置３０は、図１７に示した開状態から筐体部４Ｌを回転させ閉状態とすることにより、周囲への音漏れを低減し得るようにもなされている。
【００９０】
さらに図１８に示すイヤースピーカ装置４０は、所謂ショルダーホールド型として構成されており、イヤースピーカ装置１（図１、図２及び図５）におけるバンド部３に代えて、左右の電気音響変換部２Ｌ及び２Ｒを接続すると共にリスナの肩部から支持するショルダーアーム４１を有している。このショルダーアーム４１の中央部４１Ａは、後ろに凸の略アーチ状に形成され、リスナの首の後ろから肩の上部に引っ掛けて左右に渡されることを前提としている。また電気音響変換部２Ｌは、イヤースピーカ装置１の場合と同様、筐体部４Ｌに対してカバー部９Ｌを自在に回転し得るようになされている。
【００９１】
このイヤースピーカ装置４０（図１８）は、リスナの両肩に渡って引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置４０は、図１８に示した開状態から筐体部４Ｌを回転させ閉状態とすることにより、周囲への音漏れを低減し得るようにもなされている。
【００９２】
さらに図１９に示すイヤースピーカ装置５０は、所謂ネックバンド型として構成されており、イヤースピーカ装置１（図１、図２及び図５）におけるバンド部３に代えて、左右の電気音響変換部２Ｌ及び２Ｒを接続すると共にリスナの耳介１０１Ｌに掛けるためのバンド部５１が筐体部４Ｌに取り付けられている。このバンド部５１の中央部５１Ａは、後ろに凸の略アーチ状に形成され、リスナの後頭部の後ろ側で渡されることを前提としている。また電気音響変換部２Ｌは、イヤースピーカ装置１の場合と同様、筐体部４Ｌに対してカバー部９Ｌを自在に回転し得るようになされている。
【００９３】
このイヤースピーカ装置５０（図１９）は、バンド部５１の耳掛部５１ＢＬがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置５０は、図１９に示した開状態から筐体部４Ｌを回転させ閉状態とすることにより、周囲への音漏れを低減し得るようにもなされている。
【００９４】
さらに図２０に示すイヤースピーカ装置６０は、図１９に示したイヤースピーカ装置５０における電気音響変換部２Ｌをリスナの耳介１０１よりも後方に位置させると共に、管状ダクト８Ｌに代えて略Ｌ字状でなる管状ダクト６８Ｌがリスナの耳介１０１Ｌの後方に位置する筐体部４Ｌから外耳道入口１０２Ｌの近傍まで延長されている。また左右の電気音響変換部２Ｌ及び２Ｒは、リスナの首の後ろ側で渡されるバンド部６１により接続されていると共に、筐体部４Ｌに対してカバー部９Ｌを自在に回転し得るようになされている。
【００９５】
このイヤースピーカ装置６０（図２０）は、管状ダクト６８Ｌがリスナの耳介１０１Ｌに引っ掛けられることにより電気音響変換部２Ｌをリスナの頭部１００に装着することができ、イヤースピーカ装置１と同様、自然な音像定位を与えながら充分な低音を含む良好な再生音を当該リスナに聴取させ得るようになされている。またイヤースピーカ装置５０は、図１９に示した開状態から筐体部４Ｌを前側へ回転させ閉状態とすることにより、周囲への音漏れを低減し得るようにもなされている。
【００９６】
このように本発明では、イヤースピーカ装置１のバンド部３（図１、図２及び図５）以外にも、イヤースピーカ装置２０〜６０（図１６〜図２０）のような種々の方式でなる装着部により、電気音響変換部２Ｌ及び２Ｒをリスナの頭部１００に対して装着させるようにしても良い。
【００９７】
（５）動作及び効果
以上の構成において、イヤースピーカ装置１は、リスナの頭部１００に装着されることにより、電気音響変換部２Ｌの筐体部４Ｌに設けられたスピーカユニット７Ｌを当該リスナの外耳道入口１０２Ｌよりもやや前方に位置させると共に、当該筐体部４Ｌから後方に延長されバスレフダクトとして作用する管状ダクト８Ｌの先端部分を外耳道入口１０２Ｌの近傍に位置させた状態で、所定のアンプから供給される音声信号に基づいた再生音を出力する。
【００９８】
このときイヤースピーカ装置１の電気音響変換部２Ｌ（図６）では、スピーカユニット７Ｌから放射される中高音がリスナの鼓膜１０３Ｌに到達するまでの経路長ＥＭよりも、管状ダクト８Ｌの孔部８ＡＬから放射される低音が当該鼓膜１０３Ｌに到達するまでの経路長ＥＬ１を短くすることができるため、特性曲線ＳＭ（図９）に示したような中高音に対して、特性曲線ＳＬ１に示したように比較的音圧レベルが高い低音を当該鼓膜１０３Ｌに到達させることができる。
【００９９】
従ってイヤースピーカ装置１の電気音響変換部２Ｌは、スピーカユニット７Ｌから放射された中高音を当該リスナの頬や耳介１０１Ｌ等で反射させて鼓膜１０３Ｌに到達させることができるので、一般的なスピーカを介して再生音を聴取する場合と似た特性の再生音を当該リスナに聴取させることができ、音像が頭外に位置しているような自然な定位感を与えることができる。
【０１００】
さらにイヤースピーカ装置１の電気音響変換部２Ｌは、管状ダクト８Ｌがリスナの外耳道入口１０２Ｌ近傍まで延長されていることにより、特性曲線ＳＧ１（図１０）及び特性曲線ＳＧ１１（図１１）に示したような、低音域まで比較的充分な音圧レベルでなる良好な再生音をリスナに聴取させることができる。
【０１０１】
この場合、イヤースピーカ装置１の電気音響変換部２Ｌは、管状ダクト８Ｌがリスナの外耳道入口１０２Ｌ近傍まで延長されているため、一般的なバスレフ型の電気音響変換部２Ｌ（図７）において、管状ダクト１８Ｌ及び１９Ｌから出力される特性曲線ＳＬ２（図８）のような低音と比較して、特性曲線ＳＬ１（図９）のような音圧レベルが大きい低音をリスナの鼓膜１０３Ｌに到達させることができ、その結果スピーカユニット７Ｌの口径が比較的小さく外耳道入口１０２Ｌからやや離れていることにより不足しがちな低音を、十分な音圧レベルでリスナに聴取させることができる。
【０１０２】
さらにイヤースピーカ装置１は、低音の再生音量を上げるのではなく、低音の放射口である管状ダクト８Ｌの孔部８ＡＬを鼓膜１０３Ｌに近づけることによりリスナの鼓膜１０３Ｌ（図６）に充分な低音を到達させているため、例えば大口径のスピーカやサブウーファー等を用いて低音を再生するような場合と比較して、周囲に漏れる低音や振動をほぼ皆無にすることができる。
【０１０３】
従って、例えばリスナが深夜にイヤースピーカ装置１を介して再生音を聴取する場合等に、近隣や周囲への迷惑を殆ど気にすることなく、充分な低音が含まれる良好な再生音を堪能することができる。
【０１０４】
そのうえイヤースピーカ装置１は、ダクト空間をスピーカユニット７Ｌのバスレフダクトとして作用させながら、筐体部４Ｌに対してカバー部９Ｌを自在に回転させることができるため、電気音響変換部２Ｌを閉状態とすることにより、スピーカユニット７Ｌからの中高音を当該カバー部９Ｌにより遮断することができ、この結果、周囲への音漏れを低減させることができる。
【０１０５】
このときイヤースピーカ装置１は、カバー部９Ｌにより周囲からの騒音を遮ることもできるので、リスナに高品質な再生音を聴取させることもできる。
【０１０６】
さらにイヤースピーカ装置１は、この閉状態において、周囲の騒音等が遮られカバー部９Ｌの内面で反射した中高音も鼓膜１０３Ｌに到達することにより、リスナがアンプ等の音量レベルを下げる可能性が高く、音漏れを一段と低減することも期待できる。
【０１０７】
またイヤースピーカ装置１は、リスナの操作に基づき音漏れ低減回路１０を動作させた場合、周囲の人間が耳障りに感じやすい約４ｋ［Ｈｚ］付近の周波数帯域における音量レベルを、そのときの全体的な音量レベルに応じて低減することができる。
【０１０８】
さらに管状ダクト８Ｌは、リスナの外耳道入口１０２Ｌを塞ぐことがないため、開状態において、再生音と共に、当該リスナの周囲で発生した周囲音を遮断することなく鼓膜１０３Ｌに到達させて聴取させることができる。
【０１０９】
これによりイヤースピーカ装置１では、リスナが歩行するときやスポーツを行うときなど、リスナが周囲音を聴取する必要がある場合にも、良好な再生音に加えて確実に周囲音を聴取させることができる。
【０１１０】
またイヤースピーカ装置１は、従来の密閉型ヘッドホンのように、リスナの耳介１０１Ｌ等を電気音響変換部２Ｌによって覆ってしまうことがないため、密閉型ヘッドホンを装着したリスナが感じるような閉塞感や蒸れといった不快感を与えることがない。さらにイヤースピーカ装置１では、密閉空間を形成しないため、密閉型ヘッドホンを使用した場合に生じ得る、外耳道における共振周波数の変化を生じることもなく、リスナに違和感を与えることもない。
【０１１１】
そのうえイヤースピーカ装置１は、低音の放射口である管状ダクト８Ｌの孔部８ＡＬを鼓膜１０３Ｌに近づけることによりリスナに十分な音量レベルの低音を聴取させ得るため、スピーカユニット７Ｌの口径を不必要に大きくする必要が無く、筐体部４Ｌの大きさを必要最小限に止めることができる。これによりイヤースピーカ装置１では、全体の大きさや重量を必要最小限に抑えることができるので、リスナがイヤースピーカ装置１を装着した際の大きさや重さによる煩わしさを極力抑えることができる。
【０１１２】
以上の構成によれば、イヤースピーカ装置１は、リスナの頭部１００に装着された際、電気音響変換部２Ｌのスピーカユニット７Ｌを当該リスナの外耳道入口１０２Ｌよりもやや前方に位置させると共に、管状ダクト８Ｌの孔部８ＡＬを外耳道入口１０２Ｌの近傍に位置させた状態で再生音を出力することにより、バスレフダクトとして作用する管状ダクト８Ｌの孔部８ＡＬから放射する低音を十分な音圧レベルで鼓膜１０３に到達させることができ、さらにカバー部９Ｌを回転させることによりスピーカユニット７Ｌから周囲へ伝わる中高音を遮断することができるので、自然な音像定位を与えながら比較的低音域まで充分な音圧レベルでなる良好な再生音をリスナに聴取させ、さらに周囲への音漏れを低減させることができる。
【０１１３】
（６）他の実施の形態
なお上述した実施の形態においては、管状ダクト８Ｌが側面略Ｕ字状に形成され、孔部８ＡＬを境に２本のバスレフダクトとして機能させるようにした場合について述べたが、本発明はこれに限らず、当該管状ダクト８Ｌを１本や３本以上の管状ダクトによって構成するようにしても良い。
【０１１４】
例えば図２１に示すように、イヤースピーカ装置８０の電気音響変換部８２Ｌにおいては、筐体部４Ｌのバッフル面４ＦＬからバスレフダクトとして機能する１本の管状ダクト８８Ｌが後方へ延長され、全体として１系統のバスレフダクトを形成するようになされている。この管状ダクト８８Ｌは、先端部にリスナの外耳道入口１０２Ｌを傷つけないための保護部８８ＳＬが取り付けられていても良い。この場合、保護部８８ＳＬは、音を通しやすいスポンジ状の部材等で構成されることにより、周囲音を遮断せずリスナに聴取させることができる。
【０１１５】
また上述した実施の形態においては、金属等の固い材料で形成された管状ダクト８Ｌを用いるようにした場合について述べたが、本発明はこれに限らず、可撓性を有する樹脂等の柔らかい材料で形成された管状ダクト８Ｌを用いるようにしても良い。この場合、当該管状ダクト８Ｌの材料の違いを考慮した上で内径や経路長が設計されることが望ましい。
【０１１６】
さらに上述した実施の形態においては、管状ダクト８Ｌが固定部５Ｌの後側面を貫通するよう設けられた場合について述べたが、本発明はこれに限らず、当該管状ダクト８Ｌが当該固定部５Ｌにおける他の側面を貫通するよう設けられていても良い。
【０１１７】
さらに上述した実施の形態においては、イヤースピーカ装置１がリスナの頭部１００（図５）に装着された際、筐体部４Ｌに対してカバー部９Ｌを回転させることにより開状態（図４（Ａ））又は閉状態（図４（Ｂ））のいずれかとするようにした場合について述べたが、本発明はこれに限らず、例えばカバー部９Ｌが当該開状態と閉状態との間における任意の位置となるようにしても良く、要は当該スピーカユニット７Ｌからの中高音を周囲へ伝え難くし得れば良い。
【０１１８】
さらに上述した実施の形態においては、筐体部４Ｌ（図１〜図４等）を１／４円柱状とするようにした場合について述べたが、本発明はこれに限らず、例えば図２２に示すように、球体が垂直方向に４等分されたような形状でなる筐体部９４Ｌ等、種々の形状としても良い。この場合、筐体部９４Ｌの側面から前面にわたる部分の外側にカバー部９９Ｌを設けると共に、当該カバー部９９Ｌを回転することにより開状態又は閉状態に切り換え得るようになされていれば良い。
【０１１９】
さらに上述した実施の形態においては、カバー部９Ｌの内面に何ら設けることなく平坦にする場合について述べたが、本発明はこれに限らず、例えば当該カバー部９Ｌの内面（一部又は全部）に吸音材を貼ることにより、音の不要な反射を防止して閉状態における音質の低下を防止する等しても良い。
【０１２０】
また、カバー部９Ｌをやや大きめに構成し、閉状態においてリスナの耳介１０１Ｌを完全に覆うようにするなどしても良い。さらには、カバー部９Ｌの一部に小さな孔等を設け周囲の音が僅かに入るようにすることにより、閉状態において周囲の音を聞き取りやすくするようにしても良い。
【０１２１】
さらに上述した実施の形態においては、カバー部９Ｌが取付部材６ＡＬ及び６ＢＬの軸状部６ＡＸＬ及び６ＢＸＬ（図３）を回転軸として回転することにより電気音響変換部２Ｌを開状態又は閉状態に切り換えるようにした場合について述べたが、本発明はこれに限らず、例えば筐体部４Ｌの側面乃至前面にかけてレールを形成しておき、カバー部９Ｌを当該レールに沿って移動させることにより開状態又は閉状態に切り換えるようにし、或いは、筐体部４Ｌに所定の着脱部を設け、当該筐体部４Ｌに対してカバー部９Ｌを自在に着脱し得るよう構成する等、他の種々の手法により電気音響変換部２Ｌを開状態又は閉状態に切り換えるようにしても良い。
【０１２２】
特に筐体部４Ｌに対してカバー部９Ｌを着脱自在に構成する場合、当該カバー部９Ｌをエラストマー樹脂等の柔らかい樹脂等により構成するようにしても良い。またカバー部９Ｌを柔らかい材料により構成する場合、筐体部４Ｌにカバー部９Ｌを固定したまま裏返して筐体部４Ｌに被せることにより開状態とするようにする等しても良い。
【０１２３】
さらに上述した実施の形態においては、イヤースピーカ装置１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【０１２４】
さらに上述した実施の形態においては、筐体部４Ｌに中高音用のスピーカユニット７Ｌを設けるようにした場合について述べたが、本発明はこれに限らず、例えば中音用及び高音用といった２つのスピーカユニットを１つの筐体部４Ｌに設けて２ウェイスピーカとするなど、複数のスピーカユニットを筐体部４Ｌに設けるようにしても良い。
【０１２５】
さらに上述した実施の形態においては、バッフル面４ＦＬ及び４ＦＲに対して管状ダクト８Ｌ及び８Ｒが固定的に取り付けられているようにした場合について述べたが、本発明はこれに限らず、取り付け及び取り外し可能な構成としても良い。
【０１２６】
さらに上述した実施の形態においては、管状ダクト８Ｌにおける２系統のダクト長がそれぞれ同じ長さに設定されるようにした場合について述べたが、本発明はこれに限らず、各ダクト長が互いに異なる長さとなるようにしても良い。
【０１２７】
さらに上述した実施の形態においては、筐体部としての筐体部４Ｌ及び４Ｒと、スピーカユニットとしてのスピーカユニット７Ｌ及び７Ｒと、管状ダクトとしての管状ダクト８Ｌ及び８Ｒと、回転部としての固定部５Ｌ及び５Ｒ、軸部４ＢＸＬ、４ＣＸＬ、４ＢＸＲ及び４ＣＸＲとによって電気音響変換器としての電気音響変換部２Ｌ及び２Ｒを構成するようにした場合について述べたが、本発明はこれに限らず、その他種々の構成でなる筐体部と、スピーカユニットと、管状ダクトと、回転部とによって電気音響変換器を構成するようにしても良い。
【０１２８】
さらに上述した実施の形態においては、筐体部としての筐体部４Ｌ及び４Ｒと、スピーカユニットとしてのスピーカユニット７Ｌ及び７Ｒと、装着部としてのバンド部３と、管状ダクトとしての管状ダクト８Ｌ及び８Ｒと、回転部としての固定部５Ｌ及び５Ｒ、軸部４ＢＸＬ、４ＣＸＬ、４ＢＸＲ及び４ＣＸＲとによってイヤースピーカ装置としてのイヤースピーカ装置１を構成する場合について述べたが、本発明はこれに限らず、その他種々の構成でなる筐体部と、スピーカユニットと、装着部と、管状ダクトと、回転部とによってイヤースピーカ装置を構成するようにしても良い。
【産業上の利用可能性】
【０１２９】
本発明は、バスレフ型のスピーカ以外にも、バックロードホーン型等の他、種々のダクトを有するスピーカ装置をリスナの頭部に装着させる種々のイヤースピーカ装置でも利用できる。
【図面の簡単な説明】
【０１３０】
【図１】イヤースピーカ装置の全体構成（１）を示す略線的斜視図である。
【図２】イヤースピーカ装置の全体構成（２）を示す略線的斜視図である。
【図３】電気音響変換部の構成を示す略線的斜視図である。
【図４】カバー部の回転の説明に供する略線的斜視図である。
【図５】イヤースピーカ装置の装着状態（１）を示す略線的側面図である。
【図６】イヤースピーカ装置の装着状態（２）を示す略線的上断面図である。
【図７】一般的なバスレフ型のイヤースピーカ装置を示す略線的上断面図である。
【図８】従来のバスレフ型スピーカにおける周波数特性を示す略線図である。
【図９】イヤースピーカ装置の周波数特性を示す略線図である。
【図１０】理論的な周波数特性を示す略線図である。
【図１１】実測による周波数特性を示す略線図である。
【図１２】音漏れの周波数特性を示す略線図である。
【図１３】イヤースピーカ装置の装着状態（３）を示す略線的上断面図である。
【図１４】音漏れ低減回路の構成を示す回路図である。
【図１５】音漏れ低減回路の周波数特性を示す略線図である。
【図１６】イヤースピーカ装置の構成及び装着の例（１）を示す略線的側面図である。
【図１７】イヤースピーカ装置の構成及び装着の例（２）を示す略線的側面図である。
【図１８】イヤースピーカ装置の構成及び装着の例（３）を示す略線的側面図である。
【図１９】イヤースピーカ装置の構成及び装着の例（４）を示す略線的側面図である。
【図２０】イヤースピーカ装置の構成及び装着の例（５）を示す略線的側面図である。
【図２１】他の実施の形態による管状ダクトの構成例を示す略線的斜視図である。
【図２２】他の実施の形態による筐体部の構成例を示す略線的斜視図である。
【符号の説明】
【０１３１】
１、２０、３０、４０、５０、６０、８０、９０……イヤースピーカ装置、２Ｌ、２Ｒ、７２Ｌ、９２Ｌ……電気音響変換部、３、３１、５１、６１、７１、８１……バンド部、３ＢＬ、３ＢＲ……アジャスト部、４Ｌ、４Ｒ、１４Ｌ……筐体部、４ＡＬ……中央部、４ＢＬ……上底部、４ＣＬ……下底部、４ＢＸＬ、４ＣＸＬ……軸部、４ＦＬ、４ＦＲ……バッフル面、５Ｌ、５Ｒ……固定部、５ＡＬ……孔部、７Ｌ、７Ｒ……スピーカユニット、８Ｌ、８Ｒ、８８Ｌ……管状ダクト、８ＡＬ、８ＡＲ……孔部、１００……頭部、１０１Ｌ……耳介、１０２Ｌ……外耳道入口、１０３Ｌ……鼓膜。
【図１】
2007235922.tif 000003
【図２】
2007235922.tif 000004
【図３】
2007235922.tif 000005
【図４】
2007235922.tif 000006
【図５】
2007235922.tif 000007
【図６】
2007235922.tif 000008
【図７】
2007235922.tif 000009
【図８】
2007235922.tif 000010
【図９】
2007235922.tif 000011
【図１０】
2007235922.tif 000012
【図１１】
2007235922.tif 000013
【図１２】
2007235922.tif 000014
【図１３】
2007235922.tif 000015
【図１４】
2007235922.tif 000016
【図１５】
2007235922.tif 000017
【図１６】
2007235922.tif 000018
【図１７】
2007235922.tif 000019
【図１８】
2007235922.tif 000020
【図１９】
2007235922.tif 000021
【図２０】
2007235922.tif 000022
【図２１】
2007235922.tif 000023
【図２２】
2007235922.tif 000024